(57)【要約】【課題】レジスタ本体の空気吹出し口内の前可動ルーバに装着した操作ノブなどの突出する部材を、パネルの開口縁部に干渉させずに、レジスタ本体を良好にポップアップ動作させることができる空気吹出調整用レジスタを提供する。【解決手段】レジスタ本体１が空気吹出し口２０をパネル２上に突き出した突出位置とパネル内に格納した格納位置との間で回動可能に配設される。空気吹出し口２０には筒状のリテーナ５が配設され、リテーナ５内の前部に前可動ルーバ２１が配設され、前可動ルーバ２１に操作ノブ２３が前方に突出して取り付けられる。筒状のリテーナ５が前後方向に移動可能に配設され、レジスタ本体１が突出位置から格納側に回動するとき、リテーナ５がレジスタ本体１内で後方に移動し、レジスタ本体１が格納位置から突出側に回動するとき、リテーナ５がレジスタ本体１内で前方に移動する。【選択図】図３
2004196031.tif 000002
【特許請求の範囲】
【請求項１】
レジスタ本体が空気吹出し口をパネル上に突き出した突出位置と該パネル内に格納した格納位置との間で回動可能に配設され、該空気吹出し口には筒状のリテーナが配設され、該リテーナ内の前部に前可動ルーバが配設され、該前可動ルーバに前方に突出する部材が取り付けられたポップアップ式の空気吹出調整用レジスタにおいて、
該筒状のリテーナが前後方向に移動可能に配設され、該レジスタ本体が突出位置から格納側に回動するとき、該リテーナがレジスタ本体内で後方に移動し、該レジスタ本体が格納位置から突出側に回動するとき、該リテーナがレジスタ本体内で前方に移動するように構成されたことを特徴とする空気吹出調整用レジスタ。
【請求項２】
前記前可動ルーバを保持する筒状のリテーナにはカムフォロワが側方に突出して設けられ、前記レジスタ本体が格納されるパネル内の格納部の側壁部には、該カムフォロワが係合するカム溝が、該レジスタ本体の回動に応じて該リテーナを該レジスタ本体の前後方向に移動させるように形成されたことを特徴とする請求項１記載の空気吹出調整用レジスタ。
【請求項３】
前記レジスタ本体の側壁部と該側壁部に隣接する前記リテーナの側壁部との間に、ガイド溝とガイド凸部が該リテーナの前後方向の動きをガイドするように設けられたことを特徴とする請求項２記載の空気吹出調整用レジスタ。
【発明の詳細な説明】
【０００１】
【発明の属する技術分野】
本発明は、自動車の車内等の換気や空調の空気吹出口に使用される空気吹出調整用レジスタに関し、特に必要に応じて空気吹出口がパネル（インストルメントパネル等）内から突き出す構造のポップアップ式の空気吹出調整用レジスタに関する。
【０００２】
【従来の技術】
従来、この種のポップアップ式の空気吹出調整用レジスタとして、吹出し口を有するレジスタフレームが、インストルメントパネルに設けた開口部から突出し可能に、支持軸とブラケットを介して、インストルメントパネルの内側に取り付けられ、そのレジスタフレームを、リンクを介して手動操作により、或いはモータにより支持軸を軸に回動させ、必要に応じて吹出し口をインストルメントパネルから上方に突出すようにしたレジスタが知られている（例えば、特許文献１参照）。
【０００３】
【特許文献１】
実公平２−２８０８８号公報
【０００４】
【発明が解決しようとする課題】
しかしながら、この空気吹出調整用レジスタは、レジスタフレーム内の前部に配設された前可動ルーバの横フィンに、操作ノブが摺動可能に装着され、その操作ノブを左右又は上下に操作して、前可動ルーバとその後の後可動ルーバの角度（向き）を変える構造を有している場合、一般にこの種の操作ノブは、前可動ルーバの前縁部より前方に突き出しているため、レジスタフレームの吹出し口が突出した状態で、操作ノブの先端部が吹出し口より前方に突き出した状態にあると、レジスタフレームを格納する際、操作ノブの先端が、パネルの開口縁部に衝突し、作動不良を起こす問題があった。
【０００５】
そこで、操作ノブの先端とパネルの開口縁部の衝突を回避するために、ベゼルの正面側に凹部を形成してそこに操作ノブを配置し、或いはパネルの開口部をレジスタフレームより大きくすることが考えられたが、これにより、ベゼルの外観が悪化し、或いはレジスタフレームとパネルとの間に生じする隙間が大きくなり、良好なデザインや見栄えが悪化すると共に、隙間に異物を落とし、或いは挟んだりして作動不良を生じさせる虞があった。
【０００６】
本発明は、上記の点に鑑みてなされたもので、レジスタ本体の空気吹出し口内の前可動ルーバに設けた操作ノブなどの突出する部材を、パネルの開口縁部に干渉させずに、レジスタ本体を良好にポップアップ動作させることができる空気吹出調整用レジスタを提供することを目的とする。
【０００７】
【課題を解決するための手段】
上記目的を達成するために、本発明の空気吹出調整用レジスタは、レジスタ本体が空気吹出し口をパネル上に突き出した突出位置とパネル内に格納した格納位置との間で回動可能に配設され、空気吹出し口には筒状のリテーナが配設され、リテーナ内の前部に前可動ルーバが配設され、前可動ルーバに前方に突出する部材が取り付けられたポップアップ式の空気吹出調整用レジスタにおいて、筒状のリテーナが前後方向に移動可能に配設され、レジスタ本体が突出位置から格納側に回動するとき、リテーナがレジスタ本体内で後方に移動し、レジスタ本体が格納位置から突出側に回動するとき、リテーナがレジスタ本体内で前方に移動するように構成されたことを特徴とする。
【０００８】
ここで、請求項２のように、上記前可動ルーバを保持する筒状のリテーナにはカムフォロワを側方に突出して設け、レジスタ本体が格納されるパネル内の格納部の側壁部には、カムフォロワが係合するカム溝を、レジスタ本体の回動に応じてリテーナをレジスタ本体の前後方向に移動させるように形成することができる。
【０００９】
また、請求項３のように、上記レジスタ本体の側壁部と側壁部に隣接するリテーナの側壁部との間に、ガイド溝とガイド凸部を、リテーナの前後方向の動きをガイドするように設けることができる。
【００１０】
【作用】
このような構成の空気吹出調整用レジスタは、レジスタ本体の空気吹出し口がパネル内の格納部に格納された状態にあるとき、操作スイッチを操作すると、ポップアップ用のアクチュエータが動作して、レジスタ本体がその空気吹出し口を突き出す側に回動する。
【００１１】
このとき、例えば、前可動ルーバを保持する筒状のリテーナに設けたカムフォロワと、レジスタ本体が格納されるパネル内の格納部の側壁部に設けたカム溝との係合により、レジスタ本体の回動に応じてリテーナがレジスタ本体の前方に移動する。したがって、レジスタ本体の空気吹出し口が突き出した状態で、リテーナ内に設けた前可動ルーバの操作ノブなどの突出する部材は、操作の容易な前方に突き出した状態となる。
【００１２】
一方、レジスタ本体の空気吹出し口がパネルから突き出した位置にあるとき、操作スイッチを操作すると、アクチュエータが動作して、レジスタ本体がその空気吹出し口を格納する側に回動する。このとき、レジスタ本体の回動に応じてリテーナがレジスタ本体の後方（奥）に移動し、リテーナ内の前可動ルーバに装着された操作ノブなどの突出する部材も後方に移動する。したがって、操作ノブなどの突出する部材がレジスタ本体のベゼル部の前方に突き出さずに後退した状態で、レジスタ本体はパネル内の格納部に格納されるから、前可動ルーバに設けた突出する部材が、パネルの開口縁部に干渉する虞はなくなる。
【００１３】
【発明の実施の形態】
以下、本発明の実施の形態を図面に基づいて説明する。図１はポップアップ式の空気吹出調整用レジスタのポップアップ時の斜視図を示し、図２はその正面図を、図３はその断面図を示している。１はその前部に空気吹出し口２０を設けたレジスタ本体であり、空調用の送風ダクト４の先端部で、インストルメントパネル等のパネル２の内側に形成された格納部３内に格納可能である。また、レジスタ本体１は、図１〜図３に示すように、パネル２の開口部からポップアップつまり突き出し可能であり、支持軸１５を介して回動可能に支持されている。格納部３は空調用の送風ダクト４の先端に接続される。
【００１４】
レジスタ本体１は、図５の分解断面図に示すように、上側のカバー部１ａと、カバー部１ａの前部に延設されたベゼル部１ｂと、ベゼル部１ｂの内側に設けられた側壁部１ｃとを有して構成され、レジスタ本体１の空気吹出し口２０内にはリテーナ５が前後方向に移動可能に配設される。リテーナ５内の前部に前可動ルーバ２１が取り付けられ、その後方に後可動ルーバ２２が、送風方向を調整可能に取り付けられる。
【００１５】
前可動ルーバ２１は、複数の横フィン２１ａを一定の間隔で回動可能に配置し、それらをリンクで相互に連結して構成される。各横フィン２１ａの両側には回動軸が突設され、その回動軸は横軸受部に回動可能に嵌合される。更に、各横フィン２１ａの一方の回動軸の先端に、偏位軸を持つリンク部材が連結され、各偏位軸はリンクバーにより相互に連結され、リンク機構が構成される。
【００１６】
後可動ルーバ２２は、複数の縦フィン２２ａを一定の間隔で回動可能に配置し、それらをリンクバーで相互に連結して構成される。各縦フィン２２ａの上部と下部には回動軸が突設され、それらの回動軸は縦軸受部に回動可能に嵌合される。更に、各縦フィン２２ａの下部には連結軸が突設され、それらの連結軸はリンクバーにより相互に連結される。
【００１７】
前可動ルーバ２１の横フィン２１ａの一枚には、操作ノブ２３が左右横方向に摺動可能に装着され、操作ノブ２３の後部に設けた歯部が、後可動ルーバ２２の縦フィン２２ａに設けた歯車部に噛合する。これにより、操作ノブ２３を上下に操作すると、前可動ルーバ２１が上下にその向きを変え、操作ノブ２３を左右に操作すると、後可動ルーバ２２がその向きを左右に変えて、風向を上下左右に変えることができる。
【００１８】
一方、図４、図５に示すように、前可動ルーバ２１を保持する筒状のリテーナ５の下部の両側に、突出部５ｂが設けられ、その突出部５ｂにカムフォロワ５ｃが側方に突出して設けられる。また、レジスタ本体１が格納されるパネル２内の格納部３の側壁部３ａには、カムフォロワ５ｃが係合するカム溝３ｂが、レジスタ本体１の回動に応じてリテーナ５をレジスタ本体１の前後方向に移動させるように形成される。さらに、レジスタ本体１の側壁部１ｃの内側に、ガイド溝１ｄが前後方向に形成され、一方、その側壁部１ｃに隣接するリテーナ５の側壁部に、ガイド凸部５ａがガイド溝１ｄと係合して、リテーナ５の前後方向の動きをガイドするように設けられる。
【００１９】
レジスタ本体１を回動可能に支持する支持軸１５と同軸上のレジスタ本体１のボス部に、扇形歯車１６が取り付けられる。そして、ポップアップ用のアクチュエータ（例えばサーボモータ）９が格納部３の外側に取り付けられる。アクチュエータ９の回転軸にはピニオン１７が固定され、そのピニオン１７が扇形歯車１６に噛合し、アクチュエータ９の回転駆動により、レジスタ本体１が支持軸１５を軸に所定の格納位置から突出位置の範囲内で回動する。さらに、ポップアップ用の操作スイッチ８が、図１に示すように、レジスタ本体１のカバー部１ａ上に、またはパネル２上に配設され、操作スイッチ８に操作に応じてアクチュエータ９がレジスタ本体１をポップアップ側または格納側に駆動する。
【００２０】
このようにリテーナ５がレジスタ本体１の回動に伴い前後に移動し、ポップアップ状態では前方に突出していた操作ノブ２３が、格納時には引き戻される構造であるから、ベゼル部１ｂに凹部を設けて外観を悪化させることがなく、また、パネル２の開口縁部とレジスタ本体１の前部との間に広い隙間を設ける必要がない。したがって、その隙間を最小にして、隙間に物を挟んだり、物を落としたりする不具合を解消することができる。
【００２１】
上記構成の空気吹出調整用レジスタは、自動車の車内のインストルメントパネル等に設けられた開口部の内側で、通風ダクト４の先端部に装着された格納部３に格納及びポップアップ可能に装着される。
【００２２】
図７、図８に示すように、レジスタ本体１がパネル２内の格納部３に格納された状態にあるとき、操作スイッチ２３を操作すると、ポップアップ用のアクチュエータ９が駆動し、ピニオン１７と扇形歯車１６を回動させ、レジスタ本体１が支持軸１５を軸にして上側に回動し、図１〜図３に示すように、その空気吹出し口２０をパネル２の開口部から突き出した状態となる。
【００２３】
このとき、レジスタ本体１が上方に回動する際、前可動ルーバ２１と後可動ルーバ２２を装着した筒状のリテーナ５は、その両側下部に突設したカムフォロワ５ｃが、格納部３の側壁部３ａのカム溝３ｂにガイドされて上方に移動し、図６に示すように、後方から前方に移動しながら上昇し、レジスタ本体１の突き出し端で、図３に示すように、レジスタ本体１の空気吹出し口２の最前部に位置する状態となる。このとき、リテーナ５の前後の移動は、レジスタ本体１の側壁部１ｃに設けたガイド溝１ｄとリテーナ５の側壁部の外側に設けたガイド凸部５ａが係合してガイドされ、円滑に行なわれる。
【００２４】
これにより、レジスタ本体１が格納状態にあるときには空気吹出し口２０の後方に位置していたリテーナ５が、レジスタ本体１がポップアップされたときには、最前部まで移動するため、リテーナ５内の前可動ルーバ２１の１枚の横フィン２１ａに装着された操作ノブ２３が図３のように、ベゼル１ｂの前面より突き出した状態となり、使用者が操作ノブ２３を操作し易い状態となる。
【００２５】
そして、図示しない空調装置から送風ダクト４を通して送風された空気は、レジスタ本体１の空気吹出し口２０を通して、前方に或いは前可動ルーバ２１、後可動ルーバ２２の向きに応じた方向に吹出し、送風される。
【００２６】
一方、このようにレジスタ本体１の空気吹出し口２０がポップアップした状態で、操作スイッチ８を操作すると、アクチュエータ９が上記ポップアップ時と逆方向に回転し、ピニオン１７、扇形歯車１６を介してレジスタ本体１が、その空気吹出し口２０を格納する側に回動する。このとき、図６に示すように、リテーナ５は、その両側下部に突設したカムフォロワ５ｃが、格納部３の側壁部３ａのカム溝３ｂにガイドされながら下に移動し、図６に示すように、前方から後方に移動しながら下降し、レジスタ本体１の引き戻し端で停止し、図７に示すように、レジスタ本体１の空気吹出し口２の最後部に位置する状態となる。このとき、リテーナ５の前後の移動は、レジスタ本体１の側壁部１ｃに設けたガイド溝１ｄとリテーナ５の側壁部の外側に設けたガイド凸部５ａが係合してガイドされ、円滑に行なわれる。
【００２７】
これにより、レジスタ本体１がポップアップ状態（突き出し状態）にあるときには空気吹出し口２０の前方に位置していたリテーナ５が、レジスタ本体１が格納されるに応じて、最後部まで移動するため、リテーナ５内の前可動ルーバ２１の１枚の横フィン２１ａに装着された操作ノブ２３が図６、図７のように、ベゼル１ｂの内側に引き戻された状態となり、レジスタ本体１の回動時、パネル２の開口縁部に操作ノブ２３が干渉する不具合は防止され、レジスタ本体１のポップアップ動作を良好に行なうことができる。
【００２８】
なお、上記実施形態では、レジスタ本体１の側壁部１ｃにガイド溝１ｄを設け、リテーナ５の側部にガイド凸部５ａを設けて両者を係合させたが、レジスタ本体側にガイド凸部を設け、リテーナ側にガイド溝を設けることもできる。また、上記では、レジスタ本体１の回動に伴うリテーナ５の前後移動をカムフォロワ５ｃとカム溝３ｂの係合により行なったが、別のリンクなどを用いた移動機構によりリテーナ５を前後に移動させることもできる。
【００２９】
【発明の効果】
以上説明したように、本発明の空気吹出調整用レジスタによれば、リテーナがレジスタ本体の回動に伴い前後に移動し、ポップアップ状態では前方に突出して操作を容易にしていた操作ノブなどの突出する部材が、格納時には引き戻されるから、操作ノブなどの突出する部材とパネルの開口縁部との干渉を回避するために、ベゼル部に凹部を設けたり、パネルの開口縁部とレジスタ本体の前部との間に広い隙間を設ける必要がなくなる。このため、ベゼル部の外観を悪化させることがなく、また、パネルの開口縁部とレジスタ本体の前部の隙間を最小にして、隙間に物を挟んだり、物を落としたりする不具合を解消することができる。
【図面の簡単な説明】
【図１】本発明の一実施形態を示す空気吹出調整用レジスタのポップアップ状態の斜視図である。
【図２】同空気吹出調整用レジスタの正面図である。
【図３】図２のIII-III断面図である。
【図４】図３のIV-IV断面図である。
【図５】レジスタの分解断面図である。
【図６】レジスタ本体の回動途中を示す断面図である。
【図７】レジスタ本体を格納した状態の断面図である。
【図８】同格納時の斜視図である。
【符号の説明】
１‐レジスタ本体
１ｄ−カム溝
２‐パネル
３−格納部
３ａ−側壁部
３ｂ−カム溝
５−リテーナ
５ａ−ガイド凸部
５ｃ−カムフォロワ
９−アクチュエータ
１５‐支持軸
２０‐空気吹出し口
【図１】
2004196031.tif 000003
【図２】
2004196031.tif 000004
【図３】
2004196031.tif 000005
【図４】
2004196031.tif 000006
【図５】
2004196031.tif 000007
【図６】
2004196031.tif 000008
【図７】
2004196031.tif 000009
【図８】
2004196031.tif 000010